(57)【要約】【課題】使用時に塵埃を吸入する性能が低下することを抑制可能な、より信頼性の高い吸込具およびこの吸込具を備えた電気掃除機を提供する。【解決手段】吸込具１００は、吸込口が形成された吸込口体と、吸込口体の前端部に配置された弾性体から形成されるバンパー２００と、を備える。吸込口体は、当該吸込口体の上部を形成する上ケース１１１と当該吸込口体の下部を形成する下ケース１１２とを有する。上ケース１１１および下ケース１１２の少なくとも一方には、バンパー２００に向けて突出するリブ１１２ｂが形成される。バンパー２００には、リブ１１２ｂが挿入可能なリブ挿入孔２００ｂが形成される。バンパー２００は、リブ挿入孔２００ｂにリブ１１２ｂが挿入された状態で上ケース１１１と下ケース１１２とに挟み込まれて固定されている。【選択図】図５
2020039417.tif 000002
【特許請求の範囲】
【請求項１】
吸込口が形成された吸込口体と、
前記吸込口体の前端部に配置された弾性体から形成されるバンパーと、
を備え、
前記吸込口体は、当該吸込口体の上部を形成する上ケースと当該吸込口体の下部を形成する下ケースとを有し、
前記上ケースおよび前記下ケースの少なくとも一方には、前記バンパーに向けて突出するリブが形成され、
前記バンパーには、前記リブが挿入可能なリブ挿入部が形成され、
前記バンパーは、前記リブ挿入部に前記リブが挿入された状態で前記上ケースと前記下ケースとに挟み込まれて固定されている吸込具。
【請求項２】
吸込口が形成された吸込口体と、
前記吸込口体の前端部に配置された弾性体から形成されるバンパーと、
前記吸込口体は、当該吸込口体の上部を形成する上ケースと当該吸込口体の下部を形成する下ケースとを有し、
前記上ケースの上部には、前記上ケースおよび前記下ケースとは別体のカバー体が設けられ、
前記カバー体には、前記上ケースに向けて突出する爪部が形成され、
前記上ケースには、前記爪部が貫通する爪貫通孔が形成され、かつ、当該爪貫通孔の外周を囲うシール部が設けられ、
前記バンパーは、平面視において前記シール部の全体を覆う台座部を有し、当該台座部によって前記シール部を下方から覆った状態で前記上ケースと前記下ケースとに挟み込まれて固定されている吸込具。
【請求項３】
前記上ケースの上部には、前記上ケースおよび前記下ケースとは別体のカバー体が設けられ、
前記カバー体には、前記上ケースに向けて突出する爪部が形成され、
前記上ケースには、前記爪部が貫通する爪貫通孔が形成され、かつ、当該爪貫通孔の外周を囲うシール部が設けられ、
前記バンパーは、平面視において前記シール部の全体を覆う台座部を有し、当該台座部によって前記シール部を下方から覆った状態で前記上ケースと前記下ケースとに挟み込まれて固定されている請求項１に記載の吸込具。
【請求項４】
前記吸込口に臨んで設けられた回転ブラシを更に備え、
前記吸込口体の内部には、前記回転ブラシが収容されるブラシ室が形成され、
前記バンパーは、前記ブラシ室の前側の内壁面の少なくとも一部を形成している請求項１から請求項３の何れか１項に記載の吸込具。
【請求項５】
請求項１から請求項４の何れか１項に記載の吸込具と、
前記吸込口から塵埃を吸い込むための気流を生成する電動送風機と、を備えた電気掃除機。
【発明の詳細な説明】
【技術分野】
【０００１】
本発明は、吸込具およびこの吸込具を備えた電気掃除機に関するものである。
【背景技術】
【０００２】
特許文献１に、電気掃除機用の吸込具が記載されている。この吸込具は、下面に吸込口を有する吸込具本体を備え、吸込具本体の前壁は弾性体からなるバンパーによって形成さている。
【先行技術文献】
【特許文献】
【０００３】
【特許文献１】特許第３７８９７８２号公報
【発明の概要】
【発明が解決しようとする課題】
【０００４】
特許文献１において、バンパーは、吸込具本体の上ケースと下ケースとで単に挟み込むことによって固定されている。上記のようなバンパーの固定方法では、吸込具に衝撃が加わった場合、また、バンパーが何かに引っ掛かった場合等において、バンパーがずれてしまい易い。バンパーがずれた場合には、例えば、吸込具内からの空気漏れが生じ、吸込具が塵埃を吸入する性能が低下してしまう。このように、従来の吸込具においては、使用時において、吸込具本体の性能が低下してしまうという課題があった。
【０００５】
本発明は、上記のような課題を解決するためになされたものである。本発明の目的は、使用時に塵埃を吸入する性能が低下することを抑制可能な、より信頼性の高い吸込具およびこの吸込具を備えた電気掃除機を提供することである。
【課題を解決するための手段】
【０００６】
本発明に係る吸込具は、吸込口が形成された吸込口体と、吸込口体の前端部に配置された弾性体から形成されるバンパーと、を備える。吸込口体は、当該吸込口体の上部を形成する上ケースと当該吸込口体の下部を形成する下ケースとを有する。上ケースおよび下ケースの少なくとも一方には、バンパーに向けて突出するリブが形成される。バンパーには、上記のリブが挿入可能なリブ挿入部が形成される。バンパーは、上記のリブ挿入部に上記のリブが挿入された状態で上ケースと下ケースとに挟み込まれて固定されている。
【０００７】
本発明に係る吸込具は、吸込口が形成された吸込口体と、吸込口体の前端部に配置された弾性体から形成されるバンパーと、を備える。吸込口体は、当該吸込口体の上部を形成する上ケースと当該吸込口体の下部を形成する下ケースとを有する。上ケースの上部には、上ケースおよび下ケースとは別体のカバー体が設けられる。カバー体には、上ケースに向けて突出する爪部が形成される。上ケースには、上記の爪部が貫通する爪貫通孔が形成され、かつ、当該爪貫通孔の外周を囲うシール部が設けられる。バンパーは、平面視においてシール部の全体を覆う台座部を有し、当該台座部によってシール部を下方から覆った状態で上ケースと下ケースとに挟み込まれて固定されている。
【０００８】
本発明に係る電気掃除機は、上記のように構成された吸込具と、当該吸込具に形成された吸込口から塵埃を吸い込むための気流を生成する電動送風機と、を備えたものである。
【発明の効果】
【０００９】
本発明によれば、使用時に塵埃を吸入する性能が低下することを抑制可能な、より信頼性の高い吸込具およびこの吸込具を備えた電気掃除機を提供することができる。
【図面の簡単な説明】
【００１０】
【図１】実施の形態１の吸込具を備えた電気掃除機の斜視図である。
【図２】実施の形態１の吸込具を上方から見た斜視図である。
【図３】実施の形態１の吸込具の底面図である。
【図４】実施の形態１の吸込具の内部構成を示す上面図である。
【図５】実施の形態１の吸込具の第１の分解斜視図である。
【図６】実施の形態１の吸込具の第２の分解斜視図である。
【図７】実施の形態２の吸込具を上方から見た斜視図である。
【図８】実施の形態２の吸込具の分解斜視図である。
【図９】実施の形態２の上ケースの裏面側を示す斜視図である。
【図１０】実施の形態２の吸込具の縦断面図である。
【発明を実施するための形態】
【００１１】
以下、添付の図面を参照して、本発明を実施するための形態について説明する。各図における同一の符号は、同一の部分または相当する部分を示す。また、重複する説明については、適宜に簡略化または省略する。なお、本発明は、その趣旨を逸脱しない範囲において、以下の各実施の形態によって開示される構成のあらゆる変形およびあらゆる組み合わせを含み得るものである。
【００１２】
実施の形態１．
図１は実施の形態１の吸込具１００を備えた電気掃除機１の斜視図である。吸込具１００は、被清掃面上の塵埃を空気と一緒に吸い込むためのものである。被清掃面とは、吸込具１００および電気掃除機１によって掃除される面である。被清掃面は、例えば、絨毯、フローリング、畳等の床面、家具の上面等である。吸込具１００の詳細な構成については、後述する。
【００１３】
本実施の形態の電気掃除機１は、図１に示すように、吸込具１００に加え、掃除機本体１０、吸引ホース２０、接続パイプ３０および延長パイプ４０を備えている。吸引ホース２０は、可撓性を有する蛇腹状の中空な部材である。接続パイプ３０は、途中で折れ曲がった円筒状の中空な部材である。延長パイプ４０は、直状の円筒状の中空な部材からなる。延長パイプ４０は、伸縮可能に形成される。
【００１４】
吸引ホース２０の一側の端部は、掃除機本体１０に接続される。また、吸引ホース２０の他側の端部は、接続パイプ３０の一側の端部に接続される。接続パイプ３０の他側の端部には、延長パイプ４０の一側の端部が接続される。そして、延長パイプ４０の他側の端部は、吸込具１００に接続される。
【００１５】
一例として、接続パイプ３０には、ハンドル３１が設けられている。ハンドル３１は、電気掃除機１の使用者が持って操作するためのものである。また、ハンドル３１には、使用者が電気掃除機１の運転を制御するための操作部３２が設けられている。
【００１６】
ハンドル３１は、少なくとも部分的に、ゲル等の軟質材で形成されてもよい。ハンドル３１が少なくとも部分的に軟質材で形成されることで、ハンドル３１を把持する手とハンドル３１との間での摩擦力が大きくなる。また、ハンドル３１が少なくとも部分的に軟質材で形成されることで、使用者がハンドル３１を握りやすくなる。
【００１７】
掃除機本体１０は、塵埃を含む空気から塵埃を分離して取り除き、塵埃が取り除かれた空気を排出するためのものである。以下、塵埃を含む空気を「含塵空気」とも称する。また、掃除機本体１０によって塵埃が取り除かれた空気を「清浄空気」とも称する。
【００１８】
掃除機本体１０は、例えば、集塵ユニット１１を備えている。集塵ユニット１１は、含塵空気から塵埃を分離し、分離した塵埃を一時的に溜めておくためのものである。集塵ユニット１１は、例えば、内部で含塵空気を旋回させることにより、遠心力によって塵埃を空気から分離する。
【００１９】
一例として、集塵ユニット１１は、着脱自在に設けられている。また、集塵ユニット１１の前部には、ホース接続口１４が形成されている。ホース接続口１４には、図１に示すように、上記した吸引ホース２０の一側の端部が接続される。
【００２０】
また、掃除機本体１０は、例えば、車輪１２を備えている。車輪１２は、図１に示すように、掃除機本体１０の後部の両側の側面に配置されている。また、掃除機本体１０には、電動送風機１５が内蔵されている。
【００２１】
さらに、本実施の形態の掃除機本体１０は、図示しない電源コードを備えている。電源コードは、掃除機本体１０の内部の図示しないコードリール部に巻きつけられている。また、掃除機本体１０には、図示しない排気口および排気風路が形成されている。
【００２２】
電源コードが外部の電源に接続されると、掃除機本体１０の内部の電動送風機１５等の機器が通電する。電動送風機１５は、通電によって駆動する。電動送風機１５は、使用者による操作部３２への操作に応じて、予め設定された動作を行う。
【００２３】
図１に示すように、吸込具１００は、一例として、掃除機本体１０に連結された吸引ホース２０、接続パイプ３０および延長パイプ４０に接続された状態で使用される。吸込具１００、延長パイプ４０、接続パイプ３０および吸引ホース２０の内部には、一続きの風路が形成されている。なお、図１に示す例において、吸込具１００は延長パイプ４０に接続された状態で使用されているが、吸込具１００は延長パイプ４０を介さずに接続パイプ３０に接続された状態で使用されてもよい。
【００２４】
電動送風機１５が駆動すると、含塵空気が吸込具１００に吸い込まれる。吸込具１００に吸い込まれた含塵空気は、延長パイプ４０、接続パイプ３０および吸引ホース２０の内部の風路を通って、掃除機本体１０に送られる。
【００２５】
掃除機本体１０に送られた含塵空気は、ホース接続口１４から集塵ユニット１１に送られる。集塵ユニット１１の内部では、含塵空気が旋回して、当該含塵空気から塵埃が分離される。そして、塵埃が取り除かれて清浄化された空気、すなわち清浄空気が集塵ユニット１１から排出される。集塵ユニット１１から排出された清浄空気は、掃除機本体１０内に形成された排気風路に流入して、排気口から掃除機本体１０の外部に排出される。
【００２６】
また、図２から図６は、実施の形態１の吸込具１００の構成を示す図である。図２は、実施の形態１の吸込具１００を上方から見た斜視図である。図３は、実施の形態１の吸込具１００の底面図である。図４は、実施の形態１の吸込具１００の内部構成を示す上面図である。図４は、後述する上ケース１１１および回転ブラシ１３０が取り外された状態の吸込具１００を上方から見た図である。
【００２７】
また、図５は、実施の形態１の吸込具１００の第１の分解斜視図である。図６は、実施の形態１の吸込具１００の第２の分解斜視図である。図５は、上ケース１１１が着脱される様子を示している。また、図６は、上ケース１１１および後述するバンパー２００が着脱される様子を示している。以下、図１に加えて図２から図６を更に参照して、本実施の形態の吸込具１００の構成について説明する。
【００２８】
図２から図６に示すように、吸込具１００は、吸込口体１１０と連結管１２０とを備えている。本実施の形態において、吸込口体１１０は、直方体状である。この吸込口体１１０の平面視における形状は、横長な矩形状である。吸込口体１１０の平面視における長手方向の長さは、例えば、１０ｃｍ以上かつ３０ｃｍ以下である。
【００２９】
吸込口体１１０の主要部分は、上ケース１１１と下ケース１１２とによって構成されている。上ケース１１１は、吸込口体１１０の上部を形成する部材である。下ケース１１２は、吸込口体１１０の下部を形成する部材である。
【００３０】
吸込口体１１０の後端部における左右方向中央部には、回動管１２２が設けられている。回動管１２２は、左右方向に延びる回動軸を有している。回動管１２２のこの回動軸の左右方向両端部は、上ケース１１１と下ケース１１２とによって挟持されている。回動管１２２は、上記の回動軸を中心にして吸込口体１１０に対して回動自在である。
【００３１】
連結管１２０は円筒状の部材である。連結管１２０の一端は、上記の回動管１２２を介して、吸込口体１１０の後端部に接続されている。円筒状の吸込口体１１０は、回動管１２２に対して、当該吸込口体１１０の周方向に回動自在に支持されている。
【００３２】
連結管１２０の他端には、吸引口１２１が形成されている。連結管１２０の吸引口１２１側の端部には、延長パイプ４０または接続パイプ３０が接続可能である。本実施の形態の吸込具１００は、この連結管１２０が吸引ホース２０、接続パイプ３０または延長パイプ４０に接続された状態で使用される。
【００３３】
図３に示す吸込口体１１０の底面部１１７は、被清掃面に対向する部分である。底面部１１７の前側部分には、吸込口１１３が形成されている。吸込口１１３は、被清掃面上の塵埃を空気と一緒に吸い込むための開口である。一例として、吸込口１１３は、図３に示すように、左右方向を長手方向とする横長な矩形状を呈する。
【００３４】
吸込口体１１０の内部には、ブラシ室１１４が形成される。ブラシ室１１４は、吸込口１１３の上方に形成される。ブラシ室１１４は、吸込口１１３および吸引口１２１に通じている。このブラシ室１１４には、回転ブラシ１３０が収容される。回転ブラシ１３０は、ブラシ室１１４内から吸込口１１３を臨むようにして配置される。
【００３５】
上記した電動送風機１５が駆動すると、含塵空気が吸込口１１３から吸込口体１１０の内部へ吸い込まれる。吸込口１１３から吸い込まれた含塵空気は、ブラシ室１１４を経由して吸引口１２１から吸込具１００の外部へ排出される。吸引口１２１から排出された含塵空気は、延長パイプ４０、接続パイプ３０および吸引ホース２０を通って、掃除機本体１０に送られる。電気掃除機１に備えられた電動送風機１５は、吸込具１００に形成された吸込口１１３から塵埃を吸い込むための気流を生成するものである。
【００３６】
回転ブラシ１３０は、被清掃面上の塵埃を掻き取るためのものである。回転ブラシ１３０は、当該回転ブラシ１３０の軸となる円筒状の芯体と当該芯体の周囲に螺旋状に取り付けられた清掃体とから構成される。回転ブラシ１３０の清掃体は、例えば、ゴム等の弾性を有する素材から形成されたブレードまたは繊維質のブラシ毛等である芯体と清掃体とから構成された回転ブラシ１３０は、回転可能な状態でブラシ室１１４に収容される。
【００３７】
図４に示すように、吸込口体１１０内のブラシ室１１４の後方には、駆動モータ１５０および制御部１６０が収容されている。駆動モータ１５０は、回転ブラシ１３０を回転駆動させるためのモータである。制御部１６０は、駆動モータ１５０の動作を制御するための機器である。
【００３８】
回転ブラシ１３０と駆動モータ１５０とは、ベルト１５１によって連結されている。駆動モータ１５０の駆動軸の回転は、ベルト１５１を介して、回転ブラシ１３０に伝達される。このように、駆動モータ１５０は、ベルト１５１を介して、回転ブラシ１３０を回転駆動させる。制御部１６０には、駆動モータ１５０の動作を制御するための電気回路等が搭載されている。
【００３９】
また、図３に示すように、吸込口体１１０には、スパチュラ１１５が設けられている。スパチュラ１１５は、フローリング等を磨く効果を有する部材である。スパチュラ１１５は、吸込口体１１０の底面部１１７に取り付けられている。本実施の形態において、スパチュラ１１５は、吸込口１１３の後方に配置されている。スパチュラ１１５は、吸込口１１３の後側縁部に沿って、吸込口１１３の長手方向、すなわち左右方向にわたって設けられている。
【００４０】
吸込口１１３の後方で底面部１１７に取り付けられたスパチュラ１１５は、吸込口１１３に後ろ側から空気が多量に吸い込まれて吸引力が低下することを抑えるシール機能を有している。さらに、スパチュラ１１５は、吸込口体１１０の前進時に吸込口１１３から吸い込まれなかった塵埃が吸込口体１１０の後方に漏れることを抑える機能も有している。
【００４１】
また、本実施の形態において、吸込口体１１０には、第１吸込具車輪１４１および第２吸込具車輪１４２が設けられている。第１吸込具車輪１４１は、吸込口体１１０の底面部１１７の後端部における左右方向中央部に一対設けられている。第１吸込具車輪１４１は、連結管１２０の回動管１２２側の端部の近傍に配置されている。
【００４２】
第２吸込具車輪１４２は、図３に示すように、吸込口体１１０の底面部１１７における吸込口１１３の後方に設けられている。第２吸込具車輪１４２は、底面部１１７に対し上下動可能に取り付けられている。第２吸込具車輪１４２は、吸込口体１１０が被清掃面から浮いている状態においては第１吸込具車輪１４１よりも底面部１１７から突出するように、ばね等で付勢されている。第２吸込具車輪１４２は、吸込口体１１０が被清掃面に接地すると押し込まれる。
【００４３】
上記した第２吸込具車輪１４２は、本開示において図示を省略している安全スイッチと連動している。この安全スイッチは、第２吸込具車輪１４２の上下動に応じてＯＮ／ＯＦＦされる。吸込口体１１０が被清掃面から浮いている状態、すなわち第２吸込具車輪１４２が底面部１１７から突出した状態では、安全スイッチはＯＦＦである。吸込口体１１０が被清掃面に接地して第２吸込具車輪１４２が押し込まれると、安全スイッチはＯＮになる。安全スイッチがＯＦＦの状態では、駆動モータ１５０の回転が禁止される。安全スイッチがＯＮの状態では、駆動モータ１５０の回転が可能となる。
【００４４】
本実施の形態において、吸込口体１１０の底面部１１７の前側部分の左右両側には、車輪の代わりに起毛布体１１６が取り付けられている。起毛布体１１６は、起毛された軟質繊維の集合体によって形成される。軟質繊維は、例えば、ポリエステル材等からなる。
【００４５】
また、本実施の形態の吸込具１００は、図２から図６に示すように、バンパー２００を備えている。バンパー２００は、弾性体によって形成される。具体的には、例えば、エラストマー、塩化ビニル樹脂、ゴム等によってバンパー２００が形成される。バンパー２００は、吸込口体１１０に外部から加えられる力を抑える緩衝機能を有する部材である。
【００４６】
バンパー２００は、吸込口体１１０の少なくとも前端部に設けられる。本実施の形態においては、バンパー２００は、一例として、吸込口体１１０の前面から左右両側面にわたって設けられている。本実施の形態においては、バンパー２００は、左右方向を長手方向とする横長な形状を呈している。
【００４７】
図５および図６に示すように、バンパー２００は、上ケース１１１と下ケース１１２とに挟み込まれることによって固定される。より具体的には、本実施の形態において、バンパー２００は、上ケース端部１１１ａと下ケース端部１１２ａとに挟み込まれることによって固定される。
【００４８】
上ケース端部１１１ａは、上ケース１１１の前端部に形成される部分である。上ケース端部１１１ａは、下方に向けて突出している。また、下ケース端部１１２ａは、下ケース１１２の前端部に形成される部分である。下ケース端部１１２ａは、上方に向けて突出している。
【００４９】
上ケース端部１１１ａの前面および下ケース端部１１２ａの前面は、バンパー２００によって覆われる。このようにしてバンパー２００は、吸込口体１１０の前側の外壁の少なくとも一部を形成している。また、本実施の形態において、バンパー２００は、図４等に示すように、ブラシ室１１４の前側の内壁面の少なくとも一部を形成している。
【００５０】
また、図４から図６に示すように、下ケース１１２には、リブ１１２ｂが形成される。リブ１１２ｂは、バンパー２００に向けて突出する部材である。すなわち、本実施の形態において、リブ１１２ｂは、上方へ突出する。リブ１１２ｂは、下ケース１１２と一体となっている。例えば、リブ１１２ｂは、樹脂材料によって下ケース１１２とともに一体成型される。
【００５１】
リブ１１２ｂは、一例として、複数個設けられている。複数のリブ１１２ｂは、下ケース１１２の前側部分に配置されている。複数のリブ１１２ｂは、図４から図６に示すように、下ケース１１２の長手方向、すなわち、左右方向に沿って並んでいる。複数のリブ１１２ｂは、下ケース１１２の前端部に形成される下ケース端部１１２ａよりも後方に配置されている。
【００５２】
図５に示すように、本実施の形態において、バンパー２００には、リブ１１２ｂが挿入可能なリブ挿入部の一例として、リブ挿入孔２００ｂが形成されている。リブ挿入孔２００ｂは、バンパー２００の上下を開口させる貫通孔である。リブ挿入孔２００ｂは、一例として、複数個設けられている。
【００５３】
図４から図６等に示すように、バンパー２００は、上記のリブ挿入孔２００ｂにリブ１１２ｂが挿入された状態で、上ケース１１１と下ケース１１２とに挟み込まれて固定される。本実施の形態において、バンパー２００が固定されている際、リブ１１２ｂは、リブ挿入孔２００ｂを貫通している。
【００５４】
バンパー２００を固定する構造を本実施の形態で示した構造のようにすることで、バンパー２００は、吸込口体１１０に対してより確実に固定される。これにより、吸込口体１１０に衝撃が加わった場合に吸込口体１１０に対してバンパー２００がずれてしまうことうが抑制される。また、吸込具１００の使用時にバンパー２００が何かに引っ掛かった場合に吸込口体１１０に対してバンパー２００がずれてしまうことも抑制される。また、例えば、吸込口体１１０に大きな衝撃が加わることによって上ケース端部１１１ａと下ケース端部１１２ａとがバンパー２００から外れてしまったとしても、リブ１１２ｂおよびリブ挿入孔２００ｂによってバンパー２００が吸込口体１１０から外れてしまうことが防止される。
【００５５】
このように、本実施の形態によれば、より信頼性の高いバンパー２００の固定方法を得ることができる。本実施の形態で示した固定方法によってバンパー２００が固定されることにより、上記したように、吸込具１００の使用時におけるバンパー２００のずれが抑制される。
【００５６】
バンパー２００のずれが抑制されることで、バンパー２００側から吸込口１１３へと取り込まれる風量および風速を安定化させることが可能である。このため、例えば、被清掃面が絨毯等の摩擦または抵抗の大きい面であっても、吸込具１００の性能の低下を抑制できる。また、バンパー２００のずれによる空気漏れも抑制することができる。
【００５７】
以上のように、本実施の形態によれば、使用時に塵埃を吸入する性能が低下することを抑制可能な、より信頼性の高い吸込具１００およびこの吸込具１００を備えた電気掃除機１を提供することができる。
【００５８】
また、本実施の形態においては、弾性体からなるバンパー２００によって、吸込口体１１０の前側の外壁の少なくとも一部とブラシ室１１４の前側の内壁面の少なくとも一部との両方が形成されている。上記した本実施の形態に構成によれば、吸込口体１１０の前壁に緩衝能力を備えさせつつ、この前壁を薄くすることができる。これにより、例えば、回転ブラシ１３０をより前に配置することが可能となり、吸込具１００の清掃性能を向上させることが可能となる。また、吸込具１００の軽量化等も可能となる。
【００５９】
なお、本実施の形態では、バンパー２００に向けて突出するリブ１１２ｂが下ケース１１２に形成されているが、リブ１１２ｂは上ケース１１１に形成されていてもよい。また、リブ１１２ｂは、上ケース１１１と下ケース１１２との両方に形成されていてもよい。リブ１１２ｂは、上ケース１１１および下ケース１１２の少なくとも一方に形成されていればよい。リブ１１２ｂが、上ケース１１１と下ケース１１２との両方に形成されている場合には、バンパー２００をさらに確実に固定することが可能となる。
【００６０】
また、上記したように、リブ挿入孔２００ｂは、バンパー２００に向けて突出するリブ１１２ｂが挿入可能なリブ挿入部の一例である。リブ挿入部は、バンパー２００の上下を開口させる貫通孔でなくてもよい。換言すると、リブ挿入部は、バンパー２００を完全に貫通していなくてもよい。例えば、リブ挿入部は、凹状の穴であってもよい。また、リブ１１２ｂは、リブ挿入孔２００ｂを完全に貫通していなくてもよい。本実施の形態のようにリブ１１２ｂがリブ挿入孔２００ｂを完全に貫通している場合には、バンパー２００がより確実に固定される。
【００６１】
なお、図１に示す例において、電気掃除機１はキャニスタータイプであるが、吸込具１００が備えられる掃除機のタイプはこれに限られない。例えば、電気掃除機１は、スティックタイプまたはコードレスタイプ等であってもよい。
【００６２】
実施の形態２．
次に、実施の形態２について説明する。実施の形態１と同一または相当する部分については、説明を簡略化および省略し、実施の形態１との相違点を中心に説明する。図７は、実施の形態２の吸込具１００ａを上方から見た斜視図である。図８は、実施の形態２の吸込具１００ａの分解斜視図である。図９は、実施の形態２の上ケースの裏面側を示す斜視図である。図１０は、実施の形態２の吸込具１００ａの縦断面図である。
【００６３】
吸込具１００ａは、実施の形態１の吸込具１００と同様、被清掃面上の塵埃を空気と一緒に吸い込むためのものである。吸込具１００ａは、実施の形態１の吸込具１００と同様、電気掃除機１に備えられる。
【００６４】
吸込具１００ａの基本的な構成は、実施の形態１の吸込具１００と同様である。図７に示すように、吸込具１００ａは、吸込口体１１０と連結管１２０とを備えている。吸込口体１１０の主要部分は、上ケース１１１と下ケース１１２とによって構成されている。連結管１２０には、吸引口１２１が形成されている。吸込口体１１０の後端部における左右方向中央部には、回動管１２２が設けられている。図７等に示すように、吸込口体１１０には、起毛布体１１６が取り付けられている。
【００６５】
図７等に示すように、吸込口体１１０には、起毛布体１１６が取り付けられている。図１０に示すように、底面部１１７には、吸込口１１３が形成されている。吸込口体１１０の内部には、吸込口１１３を臨むようにして回転ブラシ１３０が、配置されている。
【００６６】
また、吸込具１００ａは、吸込具１００と同様、バンパー２００を備えている。バンパー２００は、上ケース１１１と下ケース１１２とに挟み込まれることによって固定される。図８に示すように、バンパー２００には、リブ挿入孔２００ｂが形成されている。下ケース１１２には、リブ１１２ｂが形成されている。バンパー２００は、リブ挿入孔２００ｂにリブ１１２ｂが挿入された状態で、上ケース１１１と下ケース１１２とに挟み込まれて固定される。
【００６７】
本実施の形態の吸込具１００ａは、実施の形態１の吸込具１００の構成部品に加えて、更に、カバー体２１０を備えている。カバー体２１０は、上ケース１１１および下ケース１１２とは別体の部材である。カバー体２１０は、上ケース１１１の上部に設けられる。
【００６８】
カバー体２１０は、任意の目的で設けられる部材である。カバー体２１０は、例えば、吸込具１００の意匠性の向上、吸込口体１１０の強度の向上および上ケース１１１の成型性の向上等を目的として設けられる。
【００６９】
カバー体２１０には、上ケース１１１と下ケース１１２とによって構成されている吸込口体１１０へ当該カバー体２１０を固定するための爪部２１０ａが形成されている。爪部２１０ａは、上ケースに向けて突出する爪状の部分である。爪部２１０ａは、カバー体２１０と一体となっている。爪部２１０ａは、カバー体２１０の前側部分に複数個設けられている。
【００７０】
本実施の形態において、上ケース１１１には、上記の爪部２１０ａが貫通する爪貫通孔１１１ｂが形成されている。爪貫通孔１１１ｂは、上ケース１１１の上下を開口させる。上ケース１１１には、爪貫通孔１１１ｂの前方において、爪係止部１１１ｃが形成されている。爪係止部１１１ｃには、爪貫通孔１１１ｂを貫通した爪部２１０ａの先端が引っかかる。これにより、上ケース１１１に対してカバー体２１０が固定される。
【００７１】
また、図９に示すように、上ケース１１１の裏面側には、空気漏れを防止するためのシール部の一例として、シールリブ１１１ｄが設けられている。シールリブ１１１ｄは、上下に沿ったリブ状の部材である。シールリブ１１１ｄは、爪貫通孔１１１ｂの外周を囲う。シールリブ１１１ｄは、爪貫通孔１１１ｂからの空気漏れを抑制する機能を有する部材である。
【００７２】
図８および図１０に示すように、本実施の形態において、バンパー２００は、台座部２００ｃを有している。台座部２００ｃは、バンパー２００の一部である。すなわち、台座部２００ｃは、例えば、エラストマー、塩化ビニル樹脂、ゴム等の弾性体によって形成される。
【００７３】
台座部２００ｃは、平面視においてシールリブ１１１ｄの全体を覆う大きさに形成されている。本実施の形態のバンパー２００は、上記の台座部２００ｃによってシールリブ１１１ｄを下方から覆った状態で上ケース１１１と下ケース１１２とに挟み込まれて固定される。
【００７４】
本実施の形態の構成によれば、カバー体２１０を固定するための爪貫通孔１１１ｂがシールリブ１１１ｄと台座部２００ｃとによって密閉される。これにより、使用時にカバー体２１０がずれることによる空気漏れが抑制される。以上のように、本実施の形態によれば、使用時に塵埃を吸入する性能が低下することを抑制可能な、より信頼性の高い吸込具１００ａおよびこの吸込具１００ａを備えた電気掃除機１を提供することができる。
【００７５】
なお、バンパー２００の固定方法は、実施の形態１と同様でなくてもよい。バンパー２００は、上ケース１１１と下ケース１１２とによって挟まれることで固定されていてもよい。カバー体２１０を固定するための爪貫通孔１１１ｂがシールリブ１１１ｄと台座部２００ｃとによって密閉されていればよい。
【符号の説明】
【００７６】
１  電気掃除機、  １０  掃除機本体、  １１  集塵ユニット、  １２  車輪、  １４  ホース接続口、  １５  電動送風機、  ２０  吸引ホース、  ３０  接続パイプ、  ３１  ハンドル、  ３２  操作部、４０  延長パイプ、  １００  吸込具、  １００ａ  吸込具、  １１０  吸込口体、  １１１  上ケース、  １１１ａ  上ケース端部、  １１１ｂ  爪貫通孔、  １１１ｃ  爪係止部、  １１１ｄ  シールリブ、  １１２  下ケース、  １１２ａ  下ケース端部、  １１２ｂ  リブ、  １１３  吸込口、  １１４  ブラシ室、  １１５  スパチュラ、  １１７  底面部、  １２０  連結管、  １２２  回動管、  １３０  回転ブラシ、  １４１  第１吸込具車輪、  １４２  第２吸込具車輪、  １５０  駆動モータ、  １５１  ベルト、  １６０  制御部、  ２００  バンパー、  ２００ｂ  リブ挿入孔、  ２００ｃ  台座部、  ２１０  カバー体、  ２１０ａ  爪部
【図１】
2020039417.tif 000003
【図２】
2020039417.tif 000004
【図３】
2020039417.tif 000005
【図４】
2020039417.tif 000006
【図５】
2020039417.tif 000007
【図６】
2020039417.tif 000008
【図７】
2020039417.tif 000009
【図８】
2020039417.tif 000010
【図９】
2020039417.tif 000011
【図１０】
2020039417.tif 000012